(57)【特許請求の範囲】
【請求項１】
熱交換器と水流スイッチと水位センサーとポンプを具備する燃焼機器と、連結パイプを備える浴槽と、該連結パイプに連結して前記浴槽と前記燃焼機器を連通させる循環ホースとを具備し、前記ポンプによって前記浴槽内の湯水を該浴槽と前記燃焼機器との間で強制循環させる湯水強制循環装置において、
前記浴槽に設けられている前記連結パイプは、前記浴槽に固設されていて、上下の位置関係にて配設した上部連結パイプと下部連結パイプとから成り、
前記上部連結パイプを、弾性材より成り該連結パイプの端に被せるように挿脱可能な管体連結手段で連結した前記循環ホースを介して前記ポンプの吸引側と連結し、
前記下部連結パイプを、弾性材より成り該連結パイプの端に被せるように挿脱可能な管体連結手段で連結した前記循環ホースを介して前記ポンプの吐出側と連結したことを特徴とする湯水強制循環装置。
【請求項２】
前記管体連結手段は、前記連結パイプと前記循環ホースとが折れ曲がった異なった方向になるよう連結する２つの連結口を有し、該管体連結手段の折れ曲がりを防止するために前記連結パイプの挿入方向と、前記循環ホースの挿入方向とそれぞれ同方向となるよう前記管体連結手段の外側に形成した折れ曲がり防止リブを有することを特徴とする請求項１に記載の湯水強制循環装置。
【請求項３】
前記管体との連結を強固にするための締付けバンドの外れを防止するために前記管体との連結口に形成した突起部を有することを特徴とする請求項１または２に記載の湯水強制循環装置。
【請求項４】
前記管体連結手段に挿入する管体の位置決めをするために該管体連結手段の内部に形成した位置決め部を備えることを特徴とする請求項１，２または３に記載の湯水強制循環装置。
【請求項５】
折れ曲がった異なる方向に向けて配設する複数の管体を連結する管体連結手段において、該管体連結手段を一方の管体の端に被せるように挿脱可能な弾性材で形成し、該管体連結手段の折れ曲がりを防止するために前記各管体の挿入方向とそれぞれ同方向となるよう前記管体連結手段の外側に形成した折れ曲がり防止リブを備えることを特徴とする管体連結手段。
【請求項６】
前記管体との連結を強固にするための締付けバンドの外れを防止するために前記管体との連結口に形成した突起部を備えることを特徴とする請求項５に記載の管体連結手段。
【請求項７】
前記管体連結手段に挿入する管体の位置決めをするために該管体連結手段の内部に形成した位置決め部を備えることを特徴とする請求項５または６に記載の管体連結手段。
【発明の詳細な説明】
【０００１】
【発明の属する技術分野】
本発明は、燃焼機器と、連結パイプを有する浴槽と、該連結パイプに連結して前記浴槽と前記燃焼機器を連通させる循環ホースと、前記浴槽内の湯水を該浴槽と前記燃焼機器との間で強制循環させるためのポンプを具備する湯水強制循環装置に関し、とりわけ、該湯水強制循環装置において異なる方向に向けて配設する管体を連結する管体連結手段に関する。
【０００２】
【従来の技術】
従来この種の湯水強制循環装置としては、例えば、浴槽に設けた２本のパイプに熱交換機を備える自然循環風呂釜を連結していたものを強制循環風呂釜に替えた場合のものがある。すなわち、浴槽に上下に配設した２本のパイプのうち上方のパイプは浴槽外の口に栓をして、下方のパイプから湯水をポンプで強制的に吸い込み、また、吐出を同じ下方のパイプから行うものである。
【０００３】
また他には、例えば、実公平１−２９４７９号に示すようなものがある。
【０００４】
すなわち、図１０に示すように浴槽１に上下に配設した２本のパイプ２、３を共に使用するもので、浴槽１からの強制循環風呂釜への湯水の吸込みおよび強制循環風呂釜から浴槽１への温湯の吐出を共に下方のパイプ３から行う点では上述のものと共通するが、強制循環風呂釜からの温湯を上方のパイプ２に形成された内筒４を通して下方のパイプ３へ送るものであり、上方のパイプ２と下方のパイプ３とが接続管５によって接続されているものである。
【０００５】
【発明が解決しようとする課題】
しかしながら、通常、上下のパイプ２、３は図９に示したように「ハ」の字形に取り付けられてるので、すなわち、上方のパイプ２は下さがりに、下方のパイプ３は上あがりに取り付けられてるので、このような従来の湯水強制循環装置のうち先に述べたものにあっては、使用しないために栓で塞いだ上方のパイプに流動しない水、いわゆる死に水が溜まってしまうという問題点があった。
【０００６】
また、後に述べたものにあっては、浴槽１内の水位の検出ができなくなる場合がある。すなわち、図１１に示したように、水位センサー６で浴槽１内の水位を正確に検出するためには湯水で循環路が満たされていなければならない。循環路が湯水で満たされるためには浴槽１内の上下の循環口７ａ、７ｂが共に水没している必要がる。しかし、上方の循環口７ａが水没していない場合でも下方の循環口７ｂが水没していればポンプｐを動作させて湯水の循環を行ったとき水流スイッチ８はＯＮとなるので循環路が湯水で満たされていると判断されてしまい水位センサー６は動作して誤った値を記憶することになるという問題点があった。さらに、図１０に示されているように２本のパイプ２、３を接続管５で連結しているので、パイプ２、３の端部の位置及び両端部の間隔によって接続管５の長さが変わるので作業に手間がかかるという問題点もあった。
【０００７】
本発明は、このような従来の問題点に着目してなされたもので、浴槽に連結していた自然循環風呂釜を強制循環風呂釜に替えたとき、誤りなく水位を検知できるできる湯水強制循環装置を提供することを目的としている。
【０００８】
さらに、前述の湯水強制循環装置において浴槽と強制循環風呂釜との連結を容易に行うことができる管体連結手段を提供することを目的としている。
【０００９】
【課題を解決するための手段】
かかる目的を達成するための要旨とするところは、次の各項に存する。
【００１０】
［１］ 熱交換器（２７）と水流スイッチ（２８）と水位センサー（２６）とポンプ（Ｐ）を具備する燃焼機器（２１）と、連結パイプ（２２、２３）を備える浴槽（３０）と、該連結パイプ（２２、２３）に連結して前記浴槽（３０）と前記燃焼機器（２１）を連通させる循環ホース（２４、２５）とを具備し、前記ポンプ（Ｐ）によって前記浴槽（３０）内の湯水を該浴槽（３０）と前記燃焼機器（２１）との間で強制循環させる湯水強制循環装置（２０）において、
前記浴槽（３０）に設けられている前記連結パイプ（２２、２３）は、前記浴槽（３０）に固設されていて、上下の位置関係にて配設した上部連結パイプ（２２）と下部連結パイプ（２３）とから成り、
前記上部連結パイプ（２２）を、弾性材より成り該連結パイプ（２２）の端に被せるように挿脱可能な管体連結手段（１０）で連結した前記循環ホース（２４）を介して前記ポンプ（Ｐ）の吸引側と連結し、
前記下部連結パイプ（２３）を、弾性材より成り該連結パイプ（２３）の端に被せるように挿脱可能な管体連結手段（１０）で連結した前記循環ホース（２５）を介して前記ポンプ（Ｐ）の吐出側と連結したことを特徴とする湯水強制循環装置（２０）。
【００１１】
［２］前記管体連結手段（１０）は、前記連結パイプ（２２、２３）と前記循環ホース（２５）とが折れ曲がった異なった方向になるよう連結する２つの連結口（１４ａ、１４ｂ）を有し、該管体連結手段（１０）の折れ曲がりを防止するために前記連結パイプ（２２、２３）の挿入方向と、前記循環ホース（２５）の挿入方向とそれぞれ同方向となるよう前記管体連結手段（１０）の外側に形成した折れ曲がり防止リブ（１１）を有することを特徴とする項１に記載の湯水強制循環装置（２０）。
【００１２】
［３］前記管体との連結を強固にするための締付けバンド（Ｃ）の外れを防止するために前記管体との連結口（１４ａ）に形成した突起部（１２）を有することを特徴とする項１または２に記載の湯水強制循環装置（２０）。
【００１３】
［４］前記管体連結手段（１０）に挿入する管体の位置決めをするために該管体連結手段（１０）の内部に形成した位置決め部（１３）を備えることを特徴とする項１，２または３に記載の湯水強制循環装置（２０）。
【００１４】
［５］折れ曲がった異なる方向に向けて配設する複数の管体を連結する管体連結手段（１０）において、該管体連結手段（１０）を一方の管体の端に被せるように挿脱可能な弾性材で形成し、該管体連結手段（１０）の折れ曲がりを防止するために前記各管体の挿入方向とそれぞれ同方向となるよう前記管体連結手段（１０）の外側に形成した折れ曲がり防止リブ（１１ａ、１１ｂ…）を備えることを特徴とする管体連結手段（１０）。
【００１５】
［６］前記管体との連結を強固にするための締付けバンド（Ｃ）の外れを防止するために前記管体との連結口（１４ａ）に形成した突起部（１２）を備えることを特徴とする項５に記載の管体連結手段（１０）。
【００１６】
［７］前記管体連結手段（１０）に挿入する管体の位置決めをするために該管体連結手段（１０）の内部に形成した位置決め部（１３）を備えることを特徴とする項５または６に記載の管体連結手段（１０）。
【００１７】
前記本願発明は次のように作用する。
前記浴槽（３０）の側壁には上部連結パイプ（２２）と下部連結パイプ（２３）とが上下に配設されている。それらを前記燃焼機器（２１）に連結するには、それらの浴槽側端部とは反対側の端部に前記管体連結手段（１０）を取り付ける。
【００１８】
すなわち、前記各連結パイプ（２２、２３）の他端部にそれぞれ前記管体連結手段（１０）の連結口（１４ａ、１４ａ）を被せるようにして挿入する。その際、前記管体連結手段（１０）の内部に形成した位置決め部（１３）に前記各連結パイプ（２２、２３）の他端部が突き当たるまで挿入する。前記締付けバンド（Ｃ）を巻いて締め付けることにより前記連結パイプ（２２、２３）の連結を強固にする。連結口（１４ａ）には突起部（１２）が形成されているので、前記締付けバンド（Ｃ）は何らかの力が加わっても前記管体連結手段（１０）から外れてしまうことがない。
【００１９】
前記上部連結パイプ（２２）に取り付けた前記管体連結手段（１０）の折れ曲がった方向の他方の連結口（１４ｂ）には、ホースジョイント（Ｊ）等を介して燃焼機器（１０）内のポンプ（Ｐ）の吸引側と連通する前記循環ホース（２４）を連結する。同様に、前記下部連結パイプ（２３）に取り付けた前記管体連結手段（１０）の他方の連結口（１４ｂ）には、ホースジョイント等を介して燃焼機器（１０）内のポンプ（Ｐ）の吐出側と連通する前記循環ホース（２５）を連結する。
【００２０】
前記管体連結手段（１０）の外側には折れ曲がり防止リブ（１１ａ、１１ｂ、１１ｃ）が形成されているので、前記管体連結手段（１０）に何らかの力が加わっても前記管体連結手段（１０）が潰れてしまう虞れはない。
【００２１】
ポンプ（Ｐ）が作動することにより浴槽（３０）内の湯水が前記上部連結パイプ（２２）から前記管体連結手段（１０）、前記循環ホース（２４）等を経て燃焼機器（１０）内の熱交換機に送られる。そこで加熱された温湯は前記循環ホース（２５）、前記管体連結手段（１０）等を介して前記下部連結パイプ（２３）に至り、浴槽（３０）内に戻される。
【００２２】
浴槽（３０）内の湯水の吸引は上下に配設した上部連結パイプ（２２）と下部連結パイプ（２３）のうち上方の上部連結パイプ（２２）から行われるので、水位が上部連結パイプ（２２）の位置まで達していないときは湯水の循環が行われないので、誤った水位の検知をすることは皆無である。
【００２３】
【発明の実施の形態】
以下、図面に基づき本発明の一つの実施の形態である湯水強制循環装置の説明をする。
【００２４】
図１から図４は本発明の一つの実施の形態を示している。
【００２５】
図１に示すように、湯水強制循環装置２０は燃焼機器２１、浴槽３０およびそれらを連結するパイプ等からなる。
【００２６】
燃焼機器２１はガスを燃料とするものであり、ガスの燃焼により発生した熱を浴槽３０からの湯水に伝える熱交換器２７、浴槽３０からの湯水の流れが有るときスイッチが入る（ＯＮとなる）水流スイッチ２８、浴槽３０内の水位を検出するための水位センサー２６、浴槽３０と燃焼機器２１との間で湯水を循環させるためのポンプＰ等を具備した強制循環式風呂釜である。
【００２７】
浴槽３０側には上下に配設した上部連結パイプ２２と下部連結パイプ２３とが設けられている。図３に示したように、上部連結パイプ２２は浴槽３０外の端部で管体連結手段１０等を介して折れ曲がった方向の循環ホース２４と連結されている。下部連結パイプ２３も同様に浴槽３０外の端部で管体連結手段１０等を介して循環ホース２５と連結している。管体連結手段１０は上部連結パイプ２２にとりつけたもの及び下部連結パイプ２３にとりつけたもの、共に同種類のものであり、後に詳しく説明する。
【００２８】
図１に示したように、循環ホース２４はポンプＰの吸引側と連結されている（以後、「循環ホース２４」を『吸引側循環ホース２４』と、記す。）。一方、循環ホース２５はポンプＰの吐出側と連結されている（以後、「循環ホース２５」を『吐出側循環ホース２５』と、記す。）。なお、ここで、上部連結パイプ２２の浴槽側端部から燃焼機器２１のポンプＰまでの流路を「吸引側循環路」と定義し、ポンプＰから下部連結パイプ２３の浴槽側端部までの流路を「吐出側循環路」と定義する。
【００２９】
吸引側循環路にはポンプＰの作動により、浴槽３０内の湯水が吸引側循環路および吐出側循環路を循環し始めるとその水流によりスイッチが入る水流スイッチ２８が配設されている。
【００３０】
吐出側循環路にはポンプＰと熱交換器２７との間に分岐路Ｂが連結されている。分岐路Ｂには注湯電磁弁Ｖが設けられており、注湯電磁弁Ｖの開閉により湯水の湯水強制循環装置２０への注入が調節される。注湯電磁弁Ｖと分岐路Ｂの分岐点との間には水位センサー２６が設けられている。熱交換器２７は多数のフィンを備えた一般的なものである。
【００３１】
次に作用を説明する。
【００３２】
図３および図４において示したように、浴槽３０の側壁に設けた上部連結パイプ２２と下部連結パイプ２３の浴槽外にある端部の各々に管体連結手段１０、１０を被せるようにして取り付ける。管体連結手段１０は径の異なる折れ曲がった方向の連結口１４ａ、１４ｂを有しており、上部連結パイプ２２および下部連結パイプ２３は各々径の大きい連結口１４ａ、１４ａに挿入し、締付けバンドＣで締め付けて固定する。上部連結パイプ２２に取り付けた管体連結手段１０の径の小さい連結口１４ｂにはホースジョイントＪ等を介して吸引側循環ホース２４を連結する。同様に、下部連結パイプ２３に取り付けた管体連結手段１０の径の小さい連結口１４ｂには吐出側循環ホース２５を連結する。
【００３３】
浴槽３０への湯水の供給は注湯電磁弁Ｖを開き、分岐路Ｂから循環路を通して行う。
【００３４】
浴槽３０内の湯水の水位が上部循環口３１ａより上にあるときポンプＰを作動させると、上部循環口３１ａから浴槽３０の湯水が吸引され、循環路内に水流が生じる。その水流は水流スイッチ２８をＯＮにする。その後、ポンプＰが作動を停止したとき水位センサー２６が浴槽３０内の湯水の水位の検出を行いその値を湯水強制循環装置２０の制御部（図示せず）が記憶する。ポンプＰによる湯水の強制循環が行われているときは注湯電磁弁Ｖは閉じられている。
【００３５】
ポンプＰに吸引された湯水は、そのポンプＰによって吐出側循環路に排出され、熱交換器２７で加熱された後、吐出側循環ホース２５、管体連結手段１０、下部連結パイプ２３等を介して下部循環口３１ｂから浴槽３０内に戻される。
【００３６】
浴槽３０内の湯水の水位が上部循環口３１ａに達していないとき、ポンプＰが作動しても上部循環口３１ａからの浴槽３０内の湯水の吸引は起こらないので水流スイッチ２８はＯＮにならない。
【００３７】
したがって、水流スイッチ２８のＯＮ状態に於いては水位センサー２６は浴槽３０内の湯水の水位を正確に検出することができ、水流スイッチ２８のＯＦＦ状態に於いては水位の検出を行わないので、誤った水位の値が制御部に記憶されることは皆無である。
【００３８】
また、水流スイッチ２８に連動させて燃焼機器２１の燃焼の可／不可を制御することでより高い安全性が得られる。
【００３９】
さらに、自然循環式風呂釜を使用していた浴槽及びその２本の連結パイプをそのまま利用するので、工事も容易でコストも低く押さえることができる。
【００４０】
次に、本発明の一つの実施の形態である湯水強制循環装置の管体連結手段の説明をする。
【００４１】
図５から図８は本発明の一つの実施の形態を示している。
【００４２】
図５は、管体連結手段１０の正面図であり、吸引側循環ホース２４、吐出側２５を装着するための径の小さい連結口１４ｂ側から見たものである。図６は平面図であり、図７は側面図、図８は図５のＡ−Ａ断面図である。
【００４３】
管体連結手段１０は例えば、ゴム等の弾性材で形成したものであり、径の大きい連結口１４ａに上部連結パイプ２２、下部連結パイプ２３を挿入するための開口部とし、他端部を半球状の頭部としたキャップ状のもので、他端部付近には上部連結パイプ２２、下部連結パイプ２３の挿入方向と直角な方向から連結口１４ｂを形成した吸引側循環ホース２４、吐出側循環ホース２５を連結するための連結部１５が形成されている。
【００４４】
図５に示したように、管体連結手段１０の外側には連結口１４ｂの中心部で交差する方向に吸引側循環ホース２４、吐出側循環ホース２５の連結部１５の折れ曲がりを防止するための板状の折れ曲がり防止リブ１１ａ、１１ｂ、１１ｃが形成されている。折れ曲がり防止リブ１１ａは連結口１４ａと平行な方向で連結部１５の一方の側面からキャップ状部分をほぼ一周して連結口１４ｂに対して反対側の側面に至るように形成されている。また、それと直角な方向で連結口１４ｂの中心及びキャップ状部分の反対側側面で直交するような方向には連結部１５の一方の側面からキャップ状部分の半球状の頭部を経てキャップ状部分の反対側側面に至るように防止リブ１１ｂが形成されている。防止リブ１１ｂはさらに連結部１５の他方の側面から連結口１４ａに向けても形成されている。さらに、防止リブ１１ａとはキャップ状部分の側面の相対する二カ所で直交し、防止リブ１１ｂとはキャップ状部分の半球状の頭部で直交する方向にも、防止リブ１１ｃが形成されている。
【００４５】
折れ曲がり防止リブ１１ｂ、１１ｃは連結口１４ａに上部連結パイプ２２、下部連結パイプ２３を挿着し、連結口１４ｂに吸引側循環ホース２４、吐出側循環ホース２５を挿着したときに、それらを締め付けて連結を強固にするための締付けバンドＣの装着部分が必要なために、各連結口１４ａ、１４ｂまでは達していない。
【００４６】
キャップ状部分の連結口１４ａの周囲には締付けバンドＣが外れるのを防止するために突起部１２が形成されている。図示していないが、連結口１４ｂの周囲にも同様の突起部を形成してもよいことは言うまでもない。
【００４７】
連結パイプ２２、２３を挿着するキャップ状部分の内部には、連結パイプ２２、２３の端部の位置決めをするための突起した位置決め部１３が形成されている。図８に示したように、位置決め部１３の端部は図示した方向で連結部１５の下方まで形成してある。
【００４８】
次に、作用を説明する。
【００４９】
なお、管体連結手段１０による上部連結パイプ２２と吸引側循環ホース２４の連結態様は、下部連結パイプ２３と吐出側循環ホース２５の連結態様と全く同一であるので、以下、上部連結パイプ２２と吐出側循環ホース２４を連結する場合として説明する。
【００５０】
前述した図４に示すように、管体連結手段１０の連結口１４ｂにホースジョイントＪを挿入し、締付けバンドＣで締め付ける。ホースジョイントＪの他の側は吸引側循環ホース２４に挿入し、締付けバンドＣで締め付ける。吸引側循環ホース２４の他端部は袋ナットＮ、接続ジョイントＭ等により燃焼機器２１のポンプＰの吸引側Ｋに接続する。なお、下部連結パイプ２３と吐出側循環ホース２５の連結の場合は、吐出側循環ホース２５の他端部は袋ナットＮ、接続ジョイントＭ等により燃焼機器２１の吐出側（図示せず）に接続する。
【００５１】
浴槽３０の側壁に配設された上部連結パイプ２２と管体連結手段１０を連結するには、図３に示したように、上部連結パイプ２２端部が管体連結手段１０の連結口１４ａに挿入されるように管体連結手段１０を押し付ける。管体連結手段１０の内部には位置決め部１３が形成されているので、上部連結パイプ２２の端部が突き当たるまで押し付ける。
【００５２】
次に、締付けバンドＣを巻いて締め付けることにより上部連結パイプ２２の連結を強固にすればよい。
【００５３】
このように、本実施の形態では管体連結手段の外側には折れ曲がり防止リブが形成され、連結口の周囲には突起部が形成されているので、管体連結手段に何らかの力が加わっても管体連結手段が潰れてしまったり、締付けバンドが管体連結手段から外れてしまうことはない。
【００５４】
また、管体連結手段の内部に形成した位置決め部により、連結パイプを適切かつ容易に管体連結手段に挿着することができる。さらに位置決め部の端部は前述したように連結部の下方まで形成してあるので、連結パイプによって連結部が塞がれてしまうことを防止することができる。
【００５５】
さらに、上部連結パイプと下部連結パイプとは別個独立に循環ホースに連結され、したがって、上部連結パイプと下部連結パイプの長さや端部の位置等にかかわりなく連結できるので自然循環式風呂釜を使用していたシステムを前述の湯水強制循環装置へ変更するための作業が極めて容易であり、作業能率を上げることができる。
【００５６】
なお、前記形態に係る管体連結手段は、自然循環式風呂釜を使用していたシステムに利用しても、上記効果を得られることは言うまでもない。
【００５７】
【発明の効果】
本発明にかかる湯水強制循環装置および該装置の管体連結手段によれば、浴槽内の湯水の水位を正確に検出することができので、安全性を向上することができる。また、自然循環式風呂釜を使用していたシステムを容易かつ安価に強制循環式風呂釜を使用したシステムに変更することができる。
【図面の簡単な説明】
【図１】本発明の一形態にかかる湯水強制循環装置を示す概略図である。
【図２】本発明の一形態にかかる湯水強制循環装置を示す概略図である。
【図３】本発明の一形態にかかる湯水強制循環装置における管体連結手段の連結状態を説明する湯水強制循環装置の部分斜視図である。
【図４】本発明の一形態にかかる湯水強制循環装置における管体連結手段の連結状態を示す概略図である。
【図５】本発明の一形態にかかる湯水強制循環装置に使用する管体連結手段の正面図である。
【図６】本発明の一形態にかかる湯水強制循環装置に使用する管体連結手段の平面図である。
【図７】本発明の一形態にかかる湯水強制循環装置に使用する管体連結手段の側面図である。
【図８】本発明の一形態にかかる湯水強制循環装置に使用する管体連結手段の図５におけるＡ−Ａ線断面図である
【図９】自然循環式システムにおける浴槽と連結パイプとの一般的な位置関係を示す概略図である。
【図１０】従来の湯水強制循環装置における連結パイプ付近の様子を示す概略図である。
【図１１】従来の湯水強制循環装置を示す概略図である。
【符号の説明】
１０…管体連結手段
１１ａ…折れ曲がり防止リブ
１１ｂ…折れ曲がり防止リブ
１１ｃ…折れ曲がり防止リブ
１２…突起部
１３…位置決め部
１４ａ…連結口
１４ｂ…連結口
２０…湯水強制循環装置
２１…燃焼機器
２２…上部連結パイプ
２３…下部連結パイプ
２４…吸引側循環ホース
２５…吐出側循環ホース
２６…水位センサー
２７…熱交換器
２８…水流スイッチ
３０…浴槽
Ｐ…ポンプ
【図１】
0003651989.tif 000002
【図２】
0003651989.tif 000003
【図３】
0003651989.tif 000004
【図４】
0003651989.tif 000005
【図５】
0003651989.tif 000006
【図６】
0003651989.tif 000007
【図７】
0003651989.tif 000008
【図８】
0003651989.tif 000009
【図９】
0003651989.tif 000010
【図１０】
0003651989.tif 000011
【図１１】
0003651989.tif 000012